【手続補正書】
【提出日】平成27年12月15日(2015.12.15)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるユーザ機器,UE,(200、1100)を動作させる方法であって、
前記UEが休止状態にある間に所与のタイプの通信セッションをセットアップする旨の要求を受信する(405A、505A、505B、505C、710A、710B、710C、815、915、1015)ステップと、
状態移行要求メッセージを、(i)アクセスネットワークが前記UEを前記休止状態からターゲット状態に移行させること、および前記所与のタイプの前記通信セッションに関連して前記UEとサービングセルとの間でデータを交換するための、ネットワーク割当て型のサービングセル固有の識別子を取得することを要求し、(ii)前記通信セッションの前記所与のタイプを示すように構成する(410A、510A、510B、510C、715A、715B、715C、820、920、1020)ステップと、
前記アクセスネットワークに前記状態移行要求メッセージを送信する(415A、515A、515B、515C、720A、720B、720C、825、925、1025)ステップと
を含む方法。
【請求項２】
前記UEと前記通信セッションを調停するように構成されたアプリケーションサーバとの間のIu-パケット交換,PS,シグナリング接続を維持するステップ
をさらに含み、
前記通信セッションの前記所与のタイプは、前記受信するステップ、構成するステップ、または送信するステップの間に常時オンIu-PSシグナリング接続が利用可能であることに部分的に基づいて示される、請求項1に記載の方法。
【請求項３】
前記受信するステップの前に、前記状態移行要求メッセージが前記通信セッションの前記所与のタイプを示すように構成され得る方法を示す測定制御パラメータおよび/またはトラフィック量測定,TVM,パラメータを確立するステップ
をさらに含み、
前記UEと前記通信セッションを調停するように構成されたアプリケーションサーバとの間のIu-パケット交換,PS,シグナリング接続は、前記Iu-PSシグナリング接続が利用可能でない間に前記受信するステップが前記要求を受信するように維持されることはなく、
前記通信セッションの前記所与のタイプは、前記確立された測定制御パラメータおよび/またはTVMパラメータに少なくとも部分的に基づいて示される、請求項1に記載の方法。
【請求項４】
ワイヤレス通信システムにおけるユーザ機器,UE,(200、1100)と通信するアクセスネットワーク(120、1100)を動作させる方法であって、
前記UEが休止状態からターゲット状態に移行すること、および所与のタイプの通信セッションに関連して前記UEとサービングセルとの間でデータを交換するための、ネットワーク割当て型のサービングセル固有の識別子を取得することを要求する状態移行要求メッセージを受信する(400B、515A、515B、515C、720A、720B、720C、825、925、1025)ステップと、
前記状態移行要求メッセージに基づいて前記通信セッションの前記所与のタイプを判定する(410B、520A、520B、520C、725A、725B、725C、830、930、1030)ステップと
を含む方法。
【請求項５】
前記状態移行要求メッセージは、前記通信セッションの前記所与のタイプが(i)回線交換,CS,呼、(ii)直接パケット交換,PS,呼、(iii)Iu-psシグナリングが解放された直接PS呼、(iv)PS警告メッセージおよび/または(v)Iu-psシグナリングが解放されたPS警告メッセージに対応することを示すように構成される、請求項1または請求項4に記載の方法。
【請求項６】
前記状態移行要求メッセージはセル更新メッセージに対応する、請求項1または請求項4に記載の方法。
【請求項７】
前記通信セッションの前記所与のタイプは前記セル更新メッセージによって、(i)前記セル更新メッセージの第1のフィールド、(ii)前記セル更新メッセージの第2のフィールド、および/または(iii)前記セル更新メッセージに伴って初期直接転送(IDT)メッセージが送信されるかどうか、に基づいて示される、請求項6に記載の方法。
【請求項８】
前記第1のフィールドは前記セル更新メッセージのトラフィック量指標(TVI)フィールドに対応し、前記第2のフィールドは前記セル更新メッセージの確立理由フィールドに対応する、請求項7に記載の方法。
【請求項９】
前記UEと前記通信セッションを調停するように構成されたアプリケーションサーバとの間のIu-パケット交換,PS,シグナリング接続を維持するステップ
をさらに含み、
前記判定するステップは、常時オンIu-PSシグナリング接続が維持されていることに部分的に基づいて、前記通信セッションの前記所与のタイプを判定する、請求項8に記載の方法。
【請求項１０】
前記受信するステップの前に、前記状態移行要求メッセージが前記通信セッションの前記所与のタイプを示すように構成され得る方法を示す測定制御パラメータおよび/またはトラフィック量測定,TVM,パラメータを確立するステップ
をさらに含み、
前記UEと前記通信セッションを調停するように構成されたアプリケーションサーバとの間のIu-パケット交換,PS,シグナリング接続は、前記Iu-PSシグナリング接続が利用可能でない間に前記受信するステップが前記要求を受信するように維持されることはなく、
前記判定するステップは、前記確立された測定制御パラメータおよび/またはTVMパラメータに部分的に基づいて、前記通信セッションの前記所与のタイプを判定する、請求項8に記載の方法。
【請求項１１】
ワイヤレス通信システムにおけるユーザ機器,UE,(200、1100)であって、
前記UEが休止状態にある間に所与のタイプの通信セッションをセットアップする旨の要求を受信する(405A、505A、505B、505C、710A、710B、710C、815、915、1015)ように構成された論理手段(1105)と、
状態移行要求メッセージを、(i)アクセスネットワークが前記UEを前記休止状態からターゲット状態に移行させること、および前記所与のタイプの前記通信セッションに関連して前記UEとサービングセルとの間でデータを交換するための、ネットワーク割当て型のサービングセル固有の識別子を取得することを要求し、(ii)前記通信セッションの前記所与のタイプを示すように構成する(410A、510A、510B、510C、715A、715B、715C、820、920、1020)ように構成された論理手段(1110)と、
前記アクセスネットワークに前記状態移行要求メッセージを送信する(415A、515A、515B、515C、720A、720B、720C、825、925、1025)ように構成された論理手段(1105)と
を含むUE。
【請求項１２】
ワイヤレス通信システムにおけるユーザ機器,UE,と通信するアクセスネットワーク(120、1100)であって、
前記UEが休止状態からターゲット状態に移行すること、および所与のタイプの通信セッションに関連して前記UEとサービングセルとの間でデータを交換するための、ネットワーク割当て型のサービングセル固有の識別子を取得することを要求する状態移行要求メッセージを受信する(400B、515A、515B、515C、720A、720B、720C、825、925、1025)ように構成された論理手段(1105)と、
前記状態移行要求メッセージに基づいて前記通信セッションの前記所与のタイプを判定する(410B、520A、520B、520C、725A、725B、725C、830、930、1030)ように構成された論理手段(1110)と
を含むアクセスネットワーク。
【請求項１３】
請求項1から10のいずれか一項に記載の方法を実行するための手段を含む装置(120、200、1100)。
【請求項１４】
コンピュータ可読記録媒体あって、前記コンピュータ可読記録媒体が、請求項1から10のいずれか一項に記載の方法をコンピュータまたはプロセッサに実行させるための少なくとも1つの命令を含む、コンピュータ可読記録媒体。